(57)【要約】【課題】美観を損ねることを避け、また、従来の容器に比較して把手部が多く加熱されることを防ぎ、さらに、把手部が吹き零れで汚れることを防ぐことができる成形容器を提供すること。【解決手段】上方開口部の周囲にフランジ部を設け、該フランジ部に把手部を有する成形容器本体と、該成形容器本体を被うキャップ部材とを有する成形容器において、前記フランジ部の外側に下向きに開いた円錐形の側面部を設け、前記キャップ部材の側面部の全周に延びて前記フランジ部の側面部に外側から係合する内側向きの突起部及びこれを支持する部分を設け、前記キャップ部材を前記成形容器本体に係合させたとき、前記突起部が前記成形容器本体の側面部を変形させて密封係合する成形容器。【選択図】図１
2007091312.tif 000002
【特許請求の範囲】
【請求項１】
上方開口部の周囲にフランジ部を設け、該フランジ部に把手部を有する成形容器本体と、該成形容器本体を被うキャップ部材とを有する成形容器において、
前記フランジ部の外側に下向きに開いた円錐形の側面部を設け、前記キャップ部材の側面部の全周に延びて前記フランジ部の側面部に外側から係合する内側向きの突起部及びこれを支持する部分を設け、前記キャップ部材を前記成形容器本体に係合させたとき、前記突起部が前記成形容器本体の側面部を変形させて密封係合することを特徴とする成形容器。
【請求項２】
前記キャップ部材を前記成形容器本体に係合させたとき、前記突起部を支持する部分が弾性変形して、前記突起部が前記成形容器本体の側面部に密封係合することを特徴とする請求項１に記載の成形容器。
【請求項３】
上方開口部の周囲にフランジ部を設け、該フランジ部に把手部を有する成形容器本体と、該成形容器本体を被うキャップ部材とを有する成形容器において、
前記成形容器本体の側面部又はこれから底面にいたるコーナー部に、前記成形容器本体の上方より小さくして段差部を形成し、かつ、底面の中央部に前記成形容器本体の中心軸に対して同心円的に内側に凸状に形成された底上部を設けたことを特徴とする成形容器。
【請求項４】
上方開口部の周囲にフランジ部を設け、該フランジ部に把手部を有し、キャップ部材を被せられる成形容器本体であって、
前記フランジ部が、断面形状において、少なくとも、フランジ水平部と、その外側に下向きに形成された側面部と、その下端から外向きに形成された略水平面部と、その外側から下方に下向きに形成されたに側面部と、その下端から外向きに形成された補強略水平面部とを備えたことを特徴とする成形容器本体。
【請求項５】
上方開口部の周囲にフランジ部を設け、該フランジ部に把手部を有し、キャップ部材を被せられる成形容器本体であって、
前記フランジ部が、断面形状において、少なくとも、フランジ水平部と、その外側に下向きに形成された側面部と、その下端から外向きに形成された略水平面部と、その外側から下方に下向きに形成されたに側面部と、その下端から外向きに形成された補強略水平面部とを備えたことを特徴とする成形容器本体。
【発明の詳細な説明】
【技術分野】
【０００１】
本発明は、成形容器及び成形容器本体、さらに詳しくは、チルドカレー等の食品を収容し、電子レンジによって加熱して喫食に供するチルド食品等に適する成形容器及び成形容器本体に関する。かかる食品の具体例としては、固形食品、液体食品、ペースト食品、あるいは固形物を含む液状食品またはペースト食品等がある。固形食品としては、例えば、肉じゃが、八宝菜等の各種惣菜、スパゲッティ等を挙げることができる。また、液体食品、ペースト食品としては、各種ソース類、スープ類等を挙げることができる。さらに、固形物を含む液状食品またはペースト食品としては、前記ソース類、スープ類に、任意の大きさにカット処理した肉類、人参、じゃがいも、タマネギ、しいたけ、マッシュルーム等の各種具材を混合した食品、例えばカレー、シチュー、ハッシュドビーフ、ポタージュスープ、クリームスープ、コンソメスープ等、その他うどん、ラーメン、おかゆ、味噌汁、吸い物等を挙げることができる。
【背景技術】
【０００２】
電子レンジは、料理を調理したり、あるいはレトルト食品、チルド食品、冷凍食品など調理済の各種食品を再加熱するために使用されている。電子レンジ庫内は、電界を一様にし、これらの食品を均一に加熱することができるように設計されている。そのため、食品の物性、食品を収容する容器の材質、形状などにより、少なからずその加熱状態が変わることがあるが、収容食品が略均一に加熱され、成形容器本体に形成されたフランジ部等も成形容器本体の一部として同様に加熱される。また、収容食品が加熱されて調理され、さらに沸騰等して吹き零れるおそれもある。
【０００３】
従来技術の電子レンジ用成形容器として、食品を電子レンジで加熱する際に、加熱ムラを減少させることができるとともに、加熱中に生じる固形物の崩れの発生を減少させるために、成形容器の側壁部から底部にいたるコーナー部の曲率半径が、１５ｍｍ〜２５ｍｍである電子レンジ用成形容器が提供されている（例えば、特許文献１参照）。
【０００４】
【特許文献１】特開２００１−４８２４８号公報
【発明の開示】
【発明が解決しようとする課題】
【０００５】
特許文献１に開示されたチルド食品用成形容器すなわち電子レンジ用成形容器は、加熱ムラを減少させること及び加熱中に生じる固形物の崩れの発生を減少させることについて効果がある。しかし、特許文献１に開示された電子レンジ用成形容器あるいは一般的な電子レンジ用成形容器は、ヘッドスペースが大きく、高い品温、例えば８０℃以上で充填して蓋をし、後加熱殺菌処理した場合、充填時に蒸気が容器ヘッドスペースに充満し、充填あるいはその後の殺菌処理後、常温またはそれ以下に冷やされた場合に、蒸気が凝結し体積が著しく縮小する。この結果、電子レンジ用成形容器が変形し、商品価値が低下する問題があった。
【０００６】
また、電子レンジ用成形容器は、一般に、該成形容器本体の上方開口部にシート部材を溶着して密封要部を形成し、その中に食品が充填される。成形容器は、電子レンジで加熱される場合、特に加熱された収容食品の熱によって熱くなった容器を持ち易くするために、成形容器のフランジ部に把手部を備えることが好ましい。一方、収容食品用の具材、調味料、香辛料等を添付するために、シート部材で密封した成形容器の上にそれらを載せ、キャップ部材を凹部を下向きにして該シート部材の上から被せる。また、加熱による収容食品の吹き零れを防ぐために、電子レンジによる加熱時に成形容器本体をキャップ部材で蓋をする。
【０００７】
このような状況から、キャップ部材をシート部材で密封した成形容器本体の上方開口部の内側に係合させることは不可能である。一方、キャップ部材を成形容器本体の把手部を含むフランジ部の外側に係合させることは、キャップ部材が把手部材を被うような形態になり、複雑になって、製造が煩雑になる。また、カップ状の容器に単にフランジ部を設けた成形容器では、加熱中にフランジ部が熱くなる場合が多いこと等の問題がある。
【０００８】
また、従来、成形容器本体にキャップ部材を被せる場合、両者の嵌合部は雄雌略同一の形状に形成され、両者の寸法を調整することによってその密封性を高めていている。しかし、製造コストを考慮した成形材料の膨張係数、成形型の製造精度等から密封性や密封状態の保持力、すなわち、例えば吹き零れの防止効果は満足できるものでなかった。
【０００９】
さらに、従来、把手部を有する成形容器本体の場合、シール部材を剥がし易くするためにシール溶着部分いわゆる烏口部を設けかつシール部材に指掛け用突出部を設けている。この烏口部は、把手部の領域内に形成されることが多く、把手部を押さえる指と烏口部でシールを剥がす指が干渉して剥がし難い問題があった。
【００１０】
(発明の目的）
本発明は、従来技術の成形容器に関する上述した問題に鑑みてなされたものであって、キャップ部材を成形容器本体の把手部を含むフランジ部の外側に係合させることによって、キャップ部材が把手部材を被うように形成するという意匠上美観を損ねることを避け、また、従来の容器に比較して把手部が多く加熱されることを防ぎ、さらに、把手部が吹き零れで汚れることを防ぐことができる成形容器を提供することを目的とする。
【００１１】
本発明はまた、充填時に蒸気が容器ヘッドスペースに充満し、充填後常温またはそれ以下に冷やされた場合に、蒸気が凝結し体積が著しく縮小しても、外観上変形せず、醜くならず、商品価値が低下しない成形容器を提供することを目的とする。
【００１２】
本発明はまた、電子レンジ等で加熱する場合にも、把手部がそのまま手で持つことができない程異常に熱くなることがなく、また把手部が加熱時の吹き零れによって汚れるおそれのない成形容器を提供することを目的とする。
【００１３】
本発明はさらに、製造コストを合理的なものにしながら、密封性や密封状態の保持力の優れた吹き零れを有効に防止できる成形容器を提供することを目的とする。
【００１４】
本発明さらに、シール部材の外縁を成形容器本体を傷つけることなく打ち抜き、すなわちシール部材の取り付けを容易に行うことができ、かつ、把手部を持つ指と、シール部材の剥がし取りの開始及び終了を容易にするためのシール突起部を挟み持ってシール部材を剥がす指とが干渉せず、シール部材を容易に剥がし取ることができるチルド食品用成形容器を提供することを目的とする。
【課題を解決するための手段】
【００１５】
第１発明は、上方開口部の周囲にフランジ部を設け、該フランジ部に把手部を有する成形容器本体と、該成形容器本体を被うキャップ部材とを有する成形容器において、
前記フランジ部の外側に下向きに開いた円錐形の側面部を設け、前記キャップ部材の側面部の全周に延びて前記フランジ部の側面部に外側から係合する内側向きの突起部及びこれを支持する部分を設け、前記キャップ部材を前記成形容器本体に係合させたとき、前記突起部が前記成形容器本体の側面部を変形させて密封係合することを特徴とする成形容器である。
【発明の効果】
【００１６】
本発明の成形容器によれば、キャップ部材を成形容器本体の把手部を含むフランジ部の外側に係合させてキャップ部材が把手部材を被うようになること、及び製造が複雑になることを避け、また、キャップ部材の外にあるときに比較して把手部が多く加熱されることを防ぎながら、把手部が吹き零れで汚れることを防ぐことができる効果を有する。
【００１７】
本発明の請求項２に記載の実施態様は、前記キャップ部材を前記成形容器本体に係合させたとき、前記突起部を支持する部分が弾性変形して、前記突起部が前記成形容器本体の側面部に密封係合することを特徴とする。
このように構成することによって、前記突起部と前記成形容器本体の側面部との密封係合をより確実に行うことができる効果を得ることができる。
【００１８】
第２発明は、上方開口部の周囲にフランジ部を設け、該フランジ部に把手部を有する成形容器本体と、該成形容器本体を被うキャップ部材とを有する成形容器において、
前記成形容器本体の側面部又はこれから底面にいたるコーナー部に、前記成形容器本体の上方より小さくして段差部を形成し、かつ、底面の中央部に前記成形容器本体の中心軸に対して同心円的に内側に凸状に形成された底上部を設けたことを特徴とする成形容器である。
第２発明によれば、充填時に蒸気が容器ヘッドスペースに充満し、充填後常温またはそれ以下に冷やされた場合に、蒸気が凝結し体積が著しく縮小しても、成型容器本体の底面が凹むことがあっても、外部から見える部分が変形せず、醜くならず、商品価値を低下させない効果を得ることができる。
【００１９】
第３発明は、上方開口部の周囲にフランジ部を設け、該フランジ部に把手部を有し、キャップ部材を被せられる成形容器本体であって、
前記フランジ部が、断面形状において、少なくとも、フランジ水平部と、その外側に下向きに形成された側面部と、その下端から外向きに形成された略水平面部と、その外側から下方に下向きに形成されたに側面部と、その下端から外向きに形成された補強略水平面部とを備えたことを特徴とする成形容器本体である。
第３発明によれば、前記フランジ部の剛性を高め、前記突起部と前記成形容器本体の側面部との密封係合をより確実に行うことができる効果を得ることができる。
【００２０】
第４発明は、上方開口部の周囲にフランジ部を設け、該フランジ部に把手部を有し、キャップ部材を被せられる成形容器本体であって、
前記フランジ部が、断面形状において、少なくとも、フランジ水平部と、その外側に下向きに形成された側面部と、その下端から外向きに形成された略水平面部と、その外側から下方に下向きに形成されたに側面部と、その下端から外向きに形成された補強略水平面部とを備えたことを特徴とする成形容器本体である。
第４発明によれば、シール部材のシール突起部の形成が容易で、かつ把手部を持つ指と部材烏口部に対応した位置に形成されたシール部材のシール突起部を挟み持ってシール部材を剥がす指が干渉せず、シール部材を容易に剥がし取ることができる効果を得ることができる。
【発明を実施するための最良の形態】
【００２１】
以下に、本発明の実施形態の成形容器を図に基づいて説明する。
実施形態の成形容器１は、図１に示すように、成形容器本体１０と、完全透明、半透明、着色透明等のキャップ部材１２を有する。成形容器本体１０の材料としては、限定はないが、剛性、耐熱性、遮光性、ガスバリヤ性、弾性変形性等を考慮し、ポリプロピレン、ポリエチレンテレフタレート、ポリカーボネート、ポメチルペンテン等の包装材料を適宜使用することができる。成形容器本体１０の加工は、真空圧空成形、真空成形、射出成形等、従来の成形方法を用いることができる。この場合、成形容器は、例えば５００〜２０００μｍ、好ましくは７００〜１５００μｍの厚さに調整することが望ましい。これにより、電子レンジ加熱、レトルト殺菌、あるいは製品搬送中等において、一定の剛性、保形性を維持することができる。
【００２２】
キャップ部材１２の材料としては、成形容器と同様、剛性、耐熱性、遮光性、ガスバリヤ性、弾性変形性等を考慮し、ポリエチレンテレフタレート／エチレンビニルアルコール共重合体／ナイロン／無延伸ポリプロピレンが例示される。その他、ポリエチレン、シリカまたはアルミナ蒸着フィルム、ポリ塩化ビニリデン、アルミ箔、紙等を適宜使用してもよい。蓋材の厚さは、熱溶着工程時間、ピンホールの問題等を考慮し、例えば７０〜１２０μｍ、好ましくは８０〜１００μｍに調整することが望ましい。
【００２３】
成形容器本体１０は、図１に示すように、底部１４、円錐（テーパー）型の第１側面部１６、及び上方の開口部１８を形成するフランジ部２０からなる。成形容器本体１０には、側面部１６から底部１４にいたる適当な曲率を有するコーナー部１０２を設ける。側面部１６又はコーナー部１０２の付近において、容器本体１０の内径を上方より小さくして段差部１００を形成する。段差部１００は１条形成するのが剛性を高めるために望ましいが、２条以上形成してもよい。
【００２４】
同時に、底上部２４は、底部１４の中央部に容器本体の中心軸に対して同心円的に内側に凸状に形成される。底上部２４の形状は、断面四角状、三角状など任意である。上から見て、底上部２４の周りを糸状凸出部２２が囲むようにすればよい。すなわち、底部１４は、周囲に糸尻突出部２２を有し、中央に底上部２４を有する。このような構成により、充填後に成形容器本体１０が外観上変形することが回避される。すなわち、底上部２４が均一に内側に変形し、側面部１６やフランジ部２０等の見易い部分の形状が保持される。
【００２５】
第１側面部１６は、上方へ開いた円錐形である。フランジ部２０は、第１側面部１６との境界に、外側へ突出した上向き段部２８が形成されている。上向き段部２８の上方は、下方へ開いた円錐形である第２側面部３０である。第２側面部３０の形成する開口の内径は、約１０６．３ｍｍである。
【００２６】
第２側面部３０の上方には、幅約１０ｍｍで水平に延びたフランジ水平面部３２が形成されている。フランジ水平面部３２は、図３に示すように、シート状のシール部材１００を溶着するための溶着突部３６が形成されている。溶着突部３６は、フランジ水平面部３２の全周にわたって延びており、角度方向においてフランジ部２０の把手部４４から外れかつ互いに対向する２位置に、シール部材１００の剥がし取りの開始及び完了を容易にするために烏口部４６が形成されている。
【００２７】
フランジ水平部３２の外側には、高さ約１０ｍｍで下向きに開いた円錐形の第３側面部５０が形成されている。第３側面部５０の下縁から水平外向きに、幅約５〜２０ｍｍの補強把手水平面部５２が形成されている。補強把手水平面部５２内の対向する２位置に、把手部４４が形成されている。すなわち、フランジ部２０の全周にわたって形成されたフランジ水平面部３２の一部の幅を外向きに広げて把手部４４が形成されている。把手部４４には、滑り止め、断熱効果、剛性増強、意匠的効果等を考慮して凹凸による模様を形成することが望ましい。
把手部４４を含む補強把手水平面部５２の外縁から下方へ、補強のために、高さ約３ｍｍの下向きに開いた円錐形の第４側面部５４が形成されている。さらに、第４側面部５４の下縁から水平外向きに、幅約１ｍｍの補強水平面部５６が形成されている。
【００２８】
キャップ部１２は、図１及び図２に示すように、上面部６０と、上面部６０の周囲に形成した上面突部６２と、上面突部６２からキャップ段部６４を介して丸みをもって下方に延びた第４側面部６６と、第４側面部６６の下端から水平に延びたキャップ水平面部６８と、キャップ水平面部６８の外周縁から約４５°傾斜した下向きに広がったキャップ円錐面７０と、キャップ円錐面部７０の下端部から垂直に第５側面部７２と、第５側面部７２の下の係合境界部７４を介して外側向きに延びたキャップ下端部７８とを有する。
上面部６０の中央には、収容食品を加熱して発生する蒸気等を排出するためにＵ字形線状切欠きによって形成した排気孔８０が形成されている。第４側面部６６の全周の６等分角度位置には、６つのスタッキング突部８２が形成されている。
【００２９】
上述した構成の成形容器１の使用方法について説明する。成形容器本体１０に内容物すなわちチルド食品（図示せず）等を充填し、シート状のシール部材１００を成形容器本体１０の溶着突部３６に溶着する。溶着した後、シール部材１００を指で挟み持って剥がし取ることを容易にするためのシール突起部１０２を、烏口部４６に対応した位置に形成し、不要な部分を切り取る。この時、烏口部４６が把手部４４と異なった角度位置に形成されているから、シール部材（図示せず）の不要な部分を切り取るときに、把手部４４が障害となることはない。すなわち、溶着した後、シール部材１００の外縁を、例えばフランジ水平面部３２の幅が狭い部分の外側で、上方より切り刃を台座に当接して打ち抜く等によって、切り刃を把持部４４に当てずに切り取ることができるためである。
【００３０】
シール部材１００を溶着後、あるいはチルド食品等の加熱の前後に、成形容器本体１０にキャップ部材１２を載置すると、キャップ部材１２の係合境界部７４が、成形容器本体１０の第３側面部５０に係合して第１段階の弱い密封係合が形成される。この状態で、キャップ部材１２を成形容器本体１０側にさらに押し込むと、係合境界部７４を支持している第５側面部７２が弾性変形するとともに、本体１０の第３側面部５０も弾性変形し、両者の復元力によって、キャップ部材１２の係合境界部７４と成形容器本体１０の第３側面部５０の第２の密封係合がなされ、密封係合がさらに強化される。
【００３１】
以上の説明において、容器の構成要素の大きさ等は例示に過ぎず、本発明ではその主旨を逸脱しない範囲で種々の寸法の変更や変形が可能である。例えば、上述した実施形態における把手部４４と烏口部４６及びシール突起部１０２との相互位置関係を逆にして、図４に示すように、把手部２４４と烏口部２４６及びシール突起部２０２を形成する。
【図面の簡単な説明】
【００３２】
【図１】図１は、本発明の実施形態の成形容器の、図３の線１ー１に沿った分解断面図である。
【図２】図２は、本発明の実施形態のキャップ部材の斜視図である。
【図３】図３は、本発明の実施形態のシール部材を溶着した成形容器本体の斜視図である。
【図４】図４は、本発明の実施形態の変形例のシール部材を溶着した成形容器本体の斜視図である。
【符号の説明】
【００３３】
１              チルド食品用成形容器
１０            成形容器本体
１２            キャプ部材
１４            底部
１６            第１側面部
２０            フランジ部
２２            糸尻突出部
２４            底上部
２８            上向き段部
３０            第２側面部
３２            フランジ水平面部
３６            溶着突部
４４            把手部
４６            烏口部
５０            第３側面部
５２            補強把手水平面部
５４            第４側面部
５６            補強水平面部
６０            上面部
６２            上面突部
６４            キャップ段部
６６            第４側面部
６８            キャップ水平面部
７０            キャップ円錐面
７２            第５側面部
７４            係合境界部
７８            キャップ下端部
８０            排気孔
８２            スタッキング突部
１００          シール部材
１０２          シール突起部
【図１】
2007091312.tif 000003
【図２】
2007091312.tif 000004
【図３】
2007091312.tif 000005
【図４】
2007091312.tif 000006